(57)【要約】【課題】流し台用厨芥物収容袋の溜まり汚水を自づと確実に便利良く抜き出せるようにする。【解決手段】コーナー容器（Ｂ）の囲い壁面（１１）と対応合致する差込み脚環（１７）に、厨芥物収容袋（１２）の内部へ短かく垂下するほぼ倒立Ｌ字形吸入管（１９）と流し台のシンク（Ｓ）へ長く垂下するほぼ倒立Ｌ字形吐出管（２０）との向かい合う１組から成るサイフォン管（Ｐ）が着脱自在に挟み付けられた給水用アダプター（Ａ）を、上記厨芥物収容袋（１２）が被着セットされたコーナー容器（Ｂ）へ、上方から抜き差し自在に差し込み嵌合させて、そのアダプター（Ａ）から給水（Ｗ２）するサイフォン作用により、上記厨芥物収容袋（１２）内の溜まり汚水（Ｗ１）を流し台のシンク（Ｓ）へ抜き出すように定めた。【選択図】  図２
2008156072.tif 000002
【特許請求の範囲】
【請求項１】
上向き拡開する傾斜テーパー状の囲い壁面（１１）に、サイフォン管用逃し入れ凹欠（１３）が付与された流し台用コーナー容器（Ｂ）と、
そのコーナー容器（Ｂ）の内部へ被着セットされる厨芥物収容袋（１２）と、
上記コーナー容器（Ｂ）の内部へ上方から一定の深さ（ｄ）だけ抜き差し自在に差し込み嵌合されることにより、その差込み脚環（１７）と上記囲い壁面（１１）との嵌合面において、上記厨芥物収容袋（１２）を挟み付ける給水用アダプター（Ａ）と、
そのアダプター（Ａ）の差込み脚環（１７）における上記サイフォン管用逃し入れ凹欠（１３）との対応位置へ、貫通状態に取り付けられたほぼ倒立Ｕ字形のサイフォン管（Ｐ）とを備え、
そのサイフォン管（Ｐ）を上記厨芥物収容袋（１２）の内部へ短かく垂下するほぼ倒立Ｌ字形吸入管（１９）と、流し台のシンク（Ｓ）へ長く垂下するほぼ倒立Ｌ字形吐出管（２０）との向かい合う１組から、着脱自在に螺合締結することにより、上記アダプター（Ａ）の差込み脚環（１７）へ挟み付けて、
上記アダプター（Ａ）からサイフォン管（Ｐ）よりも背高くなるレベル（Ｌ−Ｌ）まで給水（Ｗ２）することにより、上記厨芥物収容袋（１２）内の溜まり汚水（Ｗ１）を流し台のシンク（Ｓ）へ自づと抜き出すことを特徴とする流し台用厨芥物収容袋の排水装置。
【請求項２】
サイフォン管（Ｐ）における吸入管（１９）の太さを吐出管（２０）のそれよりも太く相違変化させるか、又はその太さを互いに同一としつつも、吸入口（２６）の開口面積を吐出口（２９）のそれよりも広大に相違変化させたことを特徴とする請求項１記載の流し台用厨芥物収容袋の排水装置。
【請求項３】
サイフォン管（Ｐ）の吸入管（１９）が厨芥物収容袋（１２）の内部へ垂下する長さと、同じく吐出管（２０）が流し台のシンク（Ｓ）へ垂下する長さとを、その何れも伸縮調整できるように設定したことを特徴とする請求項１記載の流し台用厨芥物収容袋の排水装置。
【請求項４】
コーナー容器（Ｂ）の底面（１５）におけるサイフォン管（Ｐ）の吸入管（１９）と対応位置する部分を凹段面（３１）として陥没させるか、又は底穴として開口形成したことを特徴とする請求項１記載の流し台用厨芥物収容袋の排水装置。
【請求項５】
給水用アダプター（Ａ）の差込み脚環（１７）に縦櫛目状の口径収縮用スリット（３２）を切り欠いたことを特徴とする請求項１記載の流し台用厨芥物収容袋の排水装置。
【請求項６】
給水用アダプター（Ａ）を縦割り溝（３３）から一旦切り離して、その切り離し一端側に植え付けた締め付け用小ネジ（３５）を、切り離し他端側の径方向に沿い開口形成した小ネジ受け入れ長孔（３６）へ、抜き差し自在に差し込み締結したことを特徴とする請求項１記載の流し台用厨芥物収容袋の排水装置。
【発明の詳細な説明】
【技術分野】
【０００１】
本発明は流し台のコーナー容器内に被着セットされた軟質合成樹脂フィルム製の厨芥物収容袋から、その溜まり汚水を適宜シンクへ便利良く抜き出すための排水装置に関する。
【背景技術】
【０００２】
この種のサイフォン原理を利用した排水装置として、本出願人は先に特公平４−５１４４１号を提案した。これが本発明に最も近似する公知技術であると考えられる。
【特許文献１】特公平４−５１４４１号公報
【発明の開示】
【発明が解決しようとする課題】
【０００３】
ところが、上記公知発明に係る排水装置の構成では、未だ次の諸問題がある。
【０００４】
即ち、第１に吸入筒（９）と吐出筒（１０）並びにその両筒（９）（１０）を連通させるチャンバー（８）とから成るサイフォン管に加えて、特殊なフロート弁（４）も必要であるため、いたづらに製造コストが高価となるほか、そのフロート弁（４）は可動部材として故障しやすく、上部底板（２）の弁孔（３）をいつまでも安定良く開閉作用することができず、耐用性に劣る。
【０００５】
第２に、給水筒（１）は上部底板（２）と下部底板（７）との二重底をなし、その内部をチャンバー（８）として区成していると共に、下部底板（７）に吸入筒（９）と吐出筒（１０）との一対が接続一体化されているため、上記チャンバー（８）内に厨芥物の細かい残渣が溜まりやすく、これをサイフォン管の取りはずし分解によって、容易に便利良く掃除することもできない。
【０００６】
第３に、給水筒（１）は吸入筒（９）と吐出筒（１０）とを長短差のある２本脚として、ごみ入れ（コーナー容器）（１０）の開口縁部へ跨がる状態に据え立て使用されるようになっているため、その給水使用時に傾斜してしまいやすく、そうすると正しいサイフォン原理により、すばやく排水することができなくなる。同じく使用時に、ごみ袋（厨芥物収容袋）（２１）がごみ入れ（コーナー容器）（２０）の内部へ垂れ落ちるおそれもある。
【０００７】
第４に、吐出筒（１０）の吐出口が吸入筒（９）の吸入口よりも大きく開口している場合には、その吐出口から先に吐出筒（１０）内へ入り溜まる空気（真空）により、吸入筒（９）から吐出筒（１０）への排水が円滑に流れず、これを自づと確実に抜き出せない事態も起るのである。
【０００８】
この点、上記公知発明には吸入筒（９）と吐出筒（１０）とを口径の異なるパイプから、その伸縮調整自在に組み合わせる旨が記載されているに過ぎない。
【課題を解決するための手段】
【０００９】
本発明はこのような諸問題の改良を目的としており、その目的を達成するために、請求項１では上向き拡開する傾斜テーパー状の囲い壁面に、サイフォン管用逃し入れ凹欠が付与された流し台用コーナー容器と、
【００１０】
そのコーナー容器の内部へ被着セットされる厨芥物収容袋と、
【００１１】
上記コーナー容器の内部へ上方から一定の深さだけ抜き差し自在に差し込み嵌合されることにより、その差込み脚環と上記囲い壁面との嵌合面において、上記厨芥物収容袋を挟み付ける給水用アダプターと、
【００１２】
そのアダプターの差込み脚環における上記サイフォン管用逃し入れ凹欠との対応位置へ、貫通状態に取り付けられたほぼ倒立Ｕ字形のサイフォン管とを備え、
【００１３】
そのサイフォン管を上記厨芥物収容袋の内部へ短かく垂下するほぼ倒立Ｌ字形吸入管と、流し台のシンクへ長く垂下するほぼ倒立Ｌ字形吐出管との向かい合う１組から、着脱自在に螺合締結することにより、上記アダプターの差込み脚環へ挟み付けて、
【００１４】
上記アダプターからサイフォン管よりも背高くなるレベルまで給水することにより、上記厨芥物収容袋内の溜まり汚水を流し台のシンクへ自づと抜き出すことを特徴とする。
【００１５】
又、上記請求項１に従属する請求項２では、サイフォン管における吸入管の太さを吐出管のそれよりも太く相違変化させるか、又はその太さを互いに同一としつつも、吸入口の開口面積を吐出口のそれよりも広大に相違変化させたことを特徴とする。
【００１６】
同じく請求項１に従属する請求項３では、サイフォン管の吸入管が厨芥物収容袋の内部へ垂下する長さと、同じく吐出管が流し台のシンクへ垂下する長さとを、その何れも伸縮調整できるように設定したことを特徴とする。
【００１７】
請求項１に従属する請求項４では、コーナー容器の底面におけるサイフォン管の吸入管と対応位置する部分を凹段面として陥没させるか、又は底穴として開口形成したことを特徴とする。
【００１８】
請求項１に従属する請求項５では、給水用アダプターの差込み脚環に縦櫛目状の口径収縮用スリットを切り欠いたことを特徴とする。
【００１９】
更に、請求項１に従属する請求項６では、給水用アダプターを縦割り溝から一旦切り離して、その切り離し一端側に植え付けた締め付け用小ネジを、切り離し他端側の径方向に沿い開口形成した小ネジ受け入れ長孔へ、抜き差し自在に差し込み締結したことを特徴とする。
【発明の効果】
【００２０】
請求項１の上記構成によれば、冒頭に述べた公知発明の弁孔と、これを開閉作用するフロート弁（可動部材）とが不要であるため、故障するおそれがなく、量産効果と耐用性を最大限に発揮させることができる。
【００２１】
しかも、コーナー容器の上向き拡開する傾斜テーパー状囲い壁面へ、その容積を拡大する給水用アダプターが、上方から抜き差し自在に差し込み嵌合されるようになっているため、その給水使用時にアダプターの傾斜するおそれがなく、又厨芥物収容袋は上記嵌合面に挟み付け一体化される結果、そのコーナー容器の内部へ不慮に垂れ落ちるおそれもなく、使用時の安定性に著しく優れる。
【００２２】
更に、サイフォン管は別個独立する吸入管と吐出管との１組から成り、これを着脱自在に螺合締結することによって、上記給水用アダプターの差込み脚環へ挟み付け固定されるようになっているため、その互いに連通する吸入管と吐出管との螺合締結状態を解いて、これらとアダプターとを悉く分解掃除することができ、その利便性と衛生効果の向上に役立つ。
【００２３】
その場合、請求項２の構成を採用するならば、吐出管の内部に空気が入り溜まり難く、それまでに早く吸入口から溜まり汚水を吸入して、これを吸入管から吐出管へ抵抗なく円滑に流通させることができ、その吐出口から確実に抜き出せる効果がある。
【００２４】
請求項３の構成を採用するならば、コーナー容器の深さやその底面とシンクとの段差について、各種相違変化があっても、これに便利良く対応することができ、その吸入管の吸入口を厨芥物収容袋の底面へ、又吐出管の吐出口を流し台のシンクへ、各々正しく臨ませて、サイフォン作用を確実に営なませ得る効果がある。
【００２５】
特に、請求項４の構成を採用するならば、吸入管の吸入口がコーナー容器における底面の凹段面又は底穴に対応位置するため、その厨芥物収容袋内の溜まり汚水を極力残すことなく、ほぼ完全に抜き出せるのであり、厨芥物の水切り効果に優れる。
【００２６】
請求項５の構成を採用するならば、コーナー容器の口径に大小変化があっても、これをアダプターの差込み脚環に切り欠かれた口径収縮用スリットによって対応でき、この効果の達成については、上記コーナー容器の囲い壁面とアダプターの差込み脚環とが、相似形状の上向き拡開する傾斜テーパー面をなすことも有機的に働くと言える。
【００２７】
更に、請求項６の構成を採用するならば、やはりコーナー容器における口径の大小変化に応じて、その給水用アダプターの口径を調整することができ、その調整代を大きく確保し得る効果がある。
【発明を実施するための最良の形態】
【００２８】
以下、図面に基いて本発明の具体的構成を詳述すると、その厨芥物収容袋の排水装置は図１、２の基本実施形態に示すような流し台のシンク（Ｓ）に設置される一定深さのコーナー容器（Ｂ）と、そのコーナー容器（Ｂ）の内部へ抜き差し自在に差し込み嵌合される給水用アダプター（Ａ）と、そのアダプター（Ａ）へ着脱自在に取り付けられた全体的なほぼ倒立Ｕ字形のサイフォン管（Ｐ）とから成り立っている。
【００２９】
先ず、コーナー容器（Ｂ）について言えば、これは硬質合成樹脂から平面視のほぼ直角三角形な輪郭形状に、しかもその囲い壁面（１１）が上向き拡開する傾斜テーパー面として一体成形されており、その内部に軟質な透明合成樹脂フィルム製の厨芥物収容袋（１２）が被着セットされることとなる。
【００３０】
（１３）はコーナー容器（Ｂ）における囲い壁面（１１）のうち、好ましくはそのほぼ直角三角形の斜辺に相当する部位へ、上向き開口する円弧状として付与されたサイフォン管用逃し入れ凹欠であり、その内部にアダプター（Ａ）側のサイフォン管（Ｐ）が逃し入れられることとなる。
【００３１】
尚、（１４）は上記コーナー容器（Ｂ）の底面（１５）のみか、又はその底面（１５）と囲い壁面（１１）との角隅部へ、櫛目状や網目状に切り欠かれた多数の水切り用スリット、（１６）は同じくコーナー容器（Ｂ）の底面（１５）から連続一体に垂下する複数のスタンドであり、これによって流し台のシンク（Ｓ）へ安定良く据え立てられる。
【００３２】
次に、給水用アダプター（Ａ）はやはり硬質な合成樹脂から、上記コーナー容器（Ｂ）の内部へ一定深さ（ｄ）分だけ差し込み嵌合し得る相似形状の枠環として一体成形されており、その差込み脚環（１７）がコーナー容器（Ｂ）における囲い壁面（１１）の上部に密着して、上記サイフォン管用逃し入れ凹欠（１３）を封鎖するようになっている。
【００３３】
しかも、そのアダプター（Ａ）の差込み脚環（１７）における上記コーナー容器（Ｂ）側のサイフォン管用逃し入れ凹欠（１３）と対応する位置には、円形のサイフォン管用取付け口（１８）が貫通形成されている。
【００３４】
更に、全体的なほぼ倒立Ｕ字形の上記サイフォン管（Ｐ）は、ほぼ倒立Ｌ字形として向かい合う吸入管（１９）と吐出管（２０）との１組から成り、その１組の水平管部（１９ａ）（２０ａ）同士が上記アダプター（Ａ）における差込み脚環（１７）のサイフォン管用取付け口（１８）を貫通する横断状態として、互いに螺合締結されることにより、そのアダプター（Ａ）の差込み脚環（１７）へ挟み付け固定されている。
【００３５】
このような吸入管（１９）並びに吐出管（２０）としては、硬質な合成樹脂の屈曲管を採用することが好ましく、その連通する螺合締結状態を解くことにより、これらを上記アダプター（Ａ）の差込み脚環（１７）から取りはずして、分解掃除することもできるようになっている。
【００３６】
この点、図２では吸入管（１９）と吐出管（２０）とのうち、その何れか一方の水平管部（１９ａ）を上記アダプター（Ａ）のサイフォン管用取付け口（１８）へ差し込み貫通させて、その水平管部（１９ａ）の雄ネジ（２１）と、残る他方の水平管部（２０ａ）に対応形成した雌ネジ（２２）とを、着脱自在に螺合締結させて、両水平管部（１９ａ）（２０ａ）から張り出す径大なフランジ（１９ｂ）（２０ｂ）により、上記アダプター（Ａ）の差込み脚環（１７）を挟み付けている。そのため、その差込み脚環（１７）のサイフォン管用取付け口（１８）から漏水するおそれはない。
【００３７】
但し、吸入管（１９）と吐出管（２０）とが連通する組立状態として、上記アダプター（Ａ）の差込み脚環（１７）へ着脱自在に挟み付け固定される限り、図３〜６の第１変形実施形態に示す如く、その両水平管部（１９ａ）（２０ａ）に同じ雌ネジ（２３）を刻設すると共に、上記アダプター（Ａ）のサイフォン管用取付け口（１８）へ差し込み貫通させた別個な接手管（２４）の雄ネジ（２５）と、その両水平管部（１９ａ）（２０ａ）の雌ネジ（２３）とを着脱自在に螺合締結しても良い。
【００３８】
何れにしても、サイフォン管（Ｐ）の吸入管（１９）はコーナー容器（Ｂ）の内部へ挿入されるものとして、上記水平管部（１９ａ）から垂直管部（１９ｃ）が短かく垂下しており、その下部先端の吸入口（２６）には横向き開口する縦櫛目状の導水用スリット（２７）が切り欠かれているほか、網目状のフィルター（２８）も着脱自在に被着されている。下向き開口する吸入口（２６）が万一封鎖されても、厨芥物収容袋（１２）内の溜まり汚水（Ｗ１）だけを、その円周面のスリット（２７）から確実に吸入できるようになっているのである。
【００３９】
他方、サイフォン管（Ｐ）の吐出管（２０）は流し台のシンク（Ｓ）に臨むものとして、上記水平管部（２０ａ）から垂直管部（２０ｃ）が比較的に長く垂下しており、その下部先端の吐出口（２９）が上記吸入管（１９）の吸入口（２６）よりも、一定の段差（ｈ）分だけ低い位置にある。
【００４０】
その場合、吸入管（１９）の太さ（口径）を図１、２のように、吐出管（２０）のそれよりも太く相違変化させるか、又は図７〜１２の第２変形実施形態に示す如く、その太さ（口径）は互いに同一としつつも、その吸入口（２６）の開口面積だけを吐出口（２９）のそれよりも広大に相違変化させることが好ましい。
【００４１】
そうすれば、吐出管（２０）の内部に空気が入り溜まり難く、その空気の溜まるまでに早く吸入口（２６）から溜まり汚水（Ｗ１）を吸入して、これを吸入管（１９）から吐出管（２０）へ抵抗なく円滑に流通させることができ、その吐出口（２９）から確実に抜き出せるからである。
【００４２】
殊更、図３〜６の第１変形実施形態に併せて示す如く、上記吸入管（１９）と吐出管（２０）との各垂直管部（１９ｃ）（２０ｃ）を、上側の固定垂直管部（１９ｃ−１）（２０ｃ−１）と下側の可動垂直管部（１９ｃ−２）（２０ｃ−２）に分割すると共に、その固定垂直管部（１９ｃ−１）（２０ｃ−１）は吸入管（１９）と吐出管（２０）との互いに同じ太さ（口径）として、吸入管（１９）の太い可動垂直管部（１９ｃ−２）をその固定垂直管部（１９ｃ−１）へ伸縮自在に外嵌させる一方、吐出管（２０）の細い可動垂直管部（２０ｃ−２）をその固定垂直管部（２０ｃ−１）へやはり伸縮自在に内嵌させることが望ましい。
【００４３】
そうすれば、その吸入口（２６）と吐出口（２９）との開口面積を上記のように相違変化させることができるばかりでなく、その各固定垂直管部（１９ｃ−１）（２０ｃ−１）に対する可動垂直管部（１９ｃ−２）（２０ｃ−２）の伸縮調整操作によって、コーナー容器（Ｂ）の深さ変化や上記段差（ｈ）の大小変化に対応することができ、その吸入口（２６）をコーナー容器（Ｂ）の底面（１５）へ、又吐出口（２９）を流し台のシンク（Ｓ）へ各々正しく臨ませることもできるからである。尚、図５、６の符号（３０）は上記固定垂直管部（１９ｃ−１）（２０ｃ−１）と可動垂直管部（１９ｃ−２）（２０ｃ−２）との嵌合面に介挿されたシール材である。
【００４４】
上記構成を備えた排水装置の使用により、流し台のコーナー容器（Ｂ）内に被着セットされている厨芥物収容袋（１２）から、その溜まり汚水（Ｗ１）を抜き出すに当っては、予じめサイフォン管（Ｐ）が取り付け固定されている給水用アダプター（Ａ）の差込み脚環（１７）を、図２、５、８のように上方からコーナー容器（Ｂ）へ差し込み嵌合させて、そのサイフォン管（Ｐ）の短かい吸入管（１９）を厨芥物収容袋（１２）の内部へ挿入すると共に、同じくサイフォン管（Ｐ）の長い吐出管（２０）をコーナー容器（Ｂ）のサイフォン管用逃し入れ凹欠（１３）から、流し台のシンク（Ｓ）へ臨ませるのである。
【００４５】
その際、アダプター（Ａ）の差込み脚環（１７）とコーナー容器（Ｂ）の囲い壁面（１１）とは、その傾斜テーパー面同士での密着状態にあり、上記厨芥物収容袋（１２）は薄く柔らかい合成樹脂フィルムから成るため、その嵌合面において厨芥物収容袋（１２）が挟み付け一体化されることとなり、これがシール膜として働く結果、上記嵌合面から不慮に漏水するおそれはなく、その厨芥物収容袋（１２）がコーナー容器（Ｂ）の開口縁部から内側へ垂れ落ちたり、又アダプター（Ａ）の傾斜したりするおそれもなく、安定な設置状態に保たれる。
【００４６】
そこで、上記アダプター（Ａ）の差し込みにより容積が拡大された内部へ、上方からサイフォン管（Ｐ）の水平管部（１９ａ）（２０ａ）よりも背高くなるレベル（Ｌ−Ｌ）まで給水（Ｗ２）するのであり、そうすればサイフォン原理によって、上記厨芥物収容袋（１２）内の溜まり汚水（Ｗ１）が吸入管（１９）の吸入口（２６）から吸入されて、その吐出管（２０）の吐出口（２９）から流し台のシンク（Ｓ）へ自づと確実に抜き出されることとなる。
【００４７】
そのため、その溜まり汚水（Ｗ１）が排出された厨芥物収容袋（１２）を把持して、その水切り状態の厨芥物だけを別な廃棄用のゴミ袋やゴミ箱（図示省略）へ移し入れ処理することができる。尚、上記排水装置の不使用時には、そのサイフォン管（Ｐ）が付属するアダプター（Ａ）をコーナー容器（Ｂ）から抜き出して、保管しておけば良い。更にはそのサイフォン管（Ｐ）もアダプター（Ａ）から取りはずし分解して、小型コンパクトに梱包することもできる。
【００４８】
特に、図１３の第３変形実施形態に示す如く、上記サイフォン管（Ｐ）の吸入管（１９）と対応位置する凹段面（３１）を、コーナー容器（Ｂ）の底面（１５）に造形しておくならば、その低く陥没した凹段面（３１）の内部に吸入管（１９）の吸入口（２６）が臨むため、上記厨芥物収容袋（１２）の溜まり汚水（Ｗ１）を極力残すことなく、ほぼ完全に排出することができることになり、一層有益である。
【００４９】
そして、このような効果は上記凹段面（３１）に代る底穴（図示省略）を開口形成するも、これを封鎖する厨芥物収容袋（１２）内に、やはり上記吸入管（１９）の吸入口（２６）が臨むため、ほぼ同様に達成することができる。
【００５０】
又、図１４の第４変形実施形態に示す如く、上記給水用アダプター（Ａ）の差込み脚環（１７）に縦櫛目状の口径収縮用スリット（３２）を下方から切り込み列設しておけば、コーナー容器（Ｂ）の口径に大小変化があっても、これをスリット（３２）により吸収して、密着状態に差し込み嵌合させることができ、その使用上の利便性と汎用性が向上する。
【００５１】
更に、上記コーナー容器（Ｂ）の口径変化に対応させるための構成として、図１５、１６の第５変形実施形態に示す如く、給水用アダプター（Ａ）自体を縦割り溝（３３）から一旦切り離し、その切り離し一端側に設けられたネジ孔（３４）へ、締め付け用小ネジ（３５）を抜き差し自在に植え付けると共に、その小ネジ受け入れ長孔（３６）を切り離し他端側の径方向に沿って開口形成しても良い。
【００５２】
そして、上記給水用アダプター（Ａ）をその小ネジ受け入れ長孔（３６）による口径の調整状態として、コーナー容器（Ｂ）の内部へ差し込み嵌合させた上、その小ネジ（３５）を締結固定するのであり、そうすればアダプター（Ａ）がコーナー容器（Ｂ）の囲い壁面（１１）に密着することとなる。
【００５３】
尚、第１〜５変形実施形態におけるその他の構成とその使用法は、上記基本実施形態と実質的に同一であるため、その図３〜１６に図１、２との対応符号を記入するにとどめて、その詳細な説明を省略する。
【図面の簡単な説明】
【００５４】
【図１】本発明の基本実施形態に係る排水装置の分解斜面図である。
【図２】その排水使用状態を示す断面図である。
【図３】本発明の第１変形実施形態を示す図１に対応する斜面図である。
【図４】コーナー容器に対する給水用アダプターの差し込み嵌合状態を示す斜面図である。
【図５】その排水使用状態を示す断面図である。
【図６】サイフォン管を分解して示す半欠截断面図である。
【図７】本発明の第２変形実施形態を示す図１に対応する斜面図である。
【図８】その排水使用状態を示す断面図である。
【図９】吸入管の吸入口を示す拡大底面図である。
【図１０】フィルターを取りはずした状態として示す図８の１０−１０線に沿う拡大断面図である。
【図１１】吐出管の吐出口を示す拡大底面図である。
【図１２】図８の１２−１２線に沿う拡大断面図である。
【図１３】本発明の第３変形実施形態を示す断面図である。
【図１４】本発明の第４変形実施形態を示す断面図である。
【図１５】本発明の第５変形実施形態を示す分解斜面図である。
【図１６】その排水使用状態を示す断面図である。
【符号の説明】
【００５５】
（１１）・囲い壁面
（１２）・厨芥物収容袋
（１３）・サイフォン管用逃し入れ凹欠
（１４）・水切り用スリット
（１５）・底面
（１６）・スタンド
（１７）・差込み脚環
（１８）・サイフォン管用取付け口
（１９）・吸入管
（２０）・吐出管
（１９ａ）（２０ａ）・水平管部
（１９ｂ）（２０ｂ）・フランジ
（１９ｃ）（２０ｃ）・垂直管部
（１９ｃ−１）（２０ｃ−１）・固定垂直管部
（１９ｃ−２）（２０ｃ−２）・可動垂直管部
（２６）・吸入口
（２７）・導水用スリット
（２８）・フィルター
（２９）・吐出口
（３０）・シール材
（３１）・凹段面
（３２）・口径収縮用スリット
（３３）・縦割り溝
（３４）・ネジ孔
（３５）・小ネジ
（３６）・小ネジ受け入れ長孔
（Ａ）・給水用アダプター
（Ｂ）・コーナー容器
（Ｐ）・サイフォン管
（Ｓ）・シンク
（Ｌ−Ｌ）・給水レベル
（Ｗ１）・溜まり汚水
（Ｗ２）・給水
【図１】
2008156072.tif 000003
【図２】
2008156072.tif 000004
【図３】
2008156072.tif 000005
【図４】
2008156072.tif 000006
【図５】
2008156072.tif 000007
【図６】
2008156072.tif 000008
【図７】
2008156072.tif 000009
【図８】
2008156072.tif 000010
【図９】
2008156072.tif 000011
【図１０】
2008156072.tif 000012
【図１１】
2008156072.tif 000013
【図１２】
2008156072.tif 000014
【図１３】
2008156072.tif 000015
【図１４】
2008156072.tif 000016
【図１５】
2008156072.tif 000017
【図１６】
2008156072.tif 000018